(57)【特許請求の範囲】
【請求項１】
上下及び表裏が規定方向に配置された状態において、上方に設計角度範囲内の角度で傾斜した方向から表面に入射する光を全反射させる光偏向要素を含み、前記光偏向要素によって全反射させた光を裏面から出射させる採光部材を準備する準備工程と、
前記採光部材の上下及び表裏のうちの少なくとも一方を判別する方向判別工程と、
前記方向判別工程の判別結果に基づいて、前記採光部材を構造物に形成された開口部に設置して採光機能付き開口構造を構成する設置工程と、
を備え、
前記方向判別工程では、前記設計角度範囲内の所定の角度で傾斜した方向から試験光を前記採光部材に入射させ、前記採光部材から出射された出射光に基づいて、前記採光部材の上下及び表裏のうちの少なくとも一方を判別する、
採光機能付き開口構造の製造方法。
【請求項２】
前記所定の角度は、前記採光部材の表裏が前記規定方向とは反対に配置された状態において、上方に傾斜した方向から前記裏面に光を入射させた際に、この光が前記光偏向要素によって全反射しない角度に、設定されている、
請求項１に記載の採光機能付き開口構造の製造方法。
【請求項３】
前記所定の角度は、前記採光部材の上下が前記規定方向とは反対に配置された状態において、上方に傾斜した方向から前記表面に光を入射させた際に、この光が前記光偏向要素によって全反射しない角度に、設定されている、
請求項１又は２に記載の採光機能付き開口構造の製造方法。
【請求項４】
前記採光部材は、シート状に形成された基部と、前記基部のシート面方向に配列された複数の前記光偏向要素と、を含み、
前記光偏向要素は、前記基部よりも低い屈折率の材料からなり、
前記複数の光偏向要素が配列された方向を上下として、上下及び表裏が規定方向となるように前記採光部材が配置された状態において、前記光偏向要素の上側面は、前記採光部材の厚さ方向に沿う縦断面で下方に向けて凸の折れ線状又は曲線状に形成されており、
前記上側面は、前記基部の法線方向に対してなす角度が前記裏面側よりも前記表面側で大きくなっている、請求項１乃至３のいずれかに記載の採光機能付き開口構造の製造方法。
【請求項５】
前記光偏向要素の上側面は、前記採光部材の厚さ方向に沿う縦断面で折れ線状に形成されており、
前記所定の角度は、前記採光部材の上下及び表裏が前記規定方向に配置された状態において、上方に傾斜した方向から前記表面に光を入射させた際に、この光の進行方向が前記法線方向に対してなす角度が、前記上側面のうちの前記表面側に最も近い平面部分が前記法線方向に対してなす角度よりも大きくなるように、設定されている、
請求項４に記載の採光機能付き開口構造の製造方法。
【請求項６】
前記所定の角度は、前記採光部材の上下及び表裏が前記規定方向に配置された状態において、上方に傾斜した方向から前記表面に光を入射させた際に、この光が前記上側面のうちの前記表面側に最も近い平面部分のみに入射するように、設定されている、
請求項５に記載の採光機能付き開口構造の製造方法。
【請求項７】
上下及び表裏が規定方向に配置された状態において、上方に設計角度範囲内の角度で傾斜した方向から表面に入射する光を全反射させる光偏向要素を含み、前記光偏向要素によって全反射させた光を裏面から出射させる採光部材を準備する準備工程と、
前記採光部材の上下及び表裏のうちの少なくとも一方を判別する方向判別工程と、
前記方向判別工程の判別結果に基づいて、前記採光部材に加工を行う加工工程と、
を備え、
前記方向判別工程では、前記設計角度範囲内の所定の角度で傾斜した方向から試験光を前記採光部材に入射させ、前記採光部材から出射された出射光に基づいて、前記採光部材の上下及び表裏のうちの少なくとも一方を判別する、
採光部材の製造方法。
【請求項８】
前記所定の角度は、前記採光部材の表裏が前記規定方向とは反対に配置された状態において、上方に傾斜した方向から前記裏面に光を入射させた際に、この光が前記光偏向要素によって全反射しない角度に、設定されている、
請求項７に記載の採光部材の製造方法。
【請求項９】
前記所定の角度は、前記採光部材の上下が前記規定方向とは反対に配置された状態において、上方に傾斜した方向から前記表面に光を入射させた際に、この光が前記光偏向要素によって全反射しない角度に、設定されている、
請求項７又は８に記載の採光部材の製造方法。
【請求項１０】
前記採光部材は、シート状に形成された基部と、前記基部のシート面方向に配列された複数の前記光偏向要素と、を含み、
前記光偏向要素は、前記基部よりも低い屈折率の材料からなり、
前記複数の光偏向要素が配列された方向を上下として、上下及び表裏が規定方向となるように前記採光部材が配置された状態において、前記光偏向要素の上側面は、前記採光部材の厚さ方向に沿う縦断面で下方に向けて凸の折れ線状又は曲線状に形成されており、
前記上側面は、前記基部の法線方向に対してなす角度が前記裏面側よりも前記表面側で大きくなっている、
請求項７乃至９のいずれかに記載の採光部材の製造方法。
【請求項１１】
前記光偏向要素の上側面は、前記採光部材の厚さ方向に沿う縦断面で折れ線状に形成されており、
前記所定の角度は、前記採光部材の上下及び表裏が前記規定方向に配置された状態において、上方に傾斜した方向から前記表面に光を入射させた際に、この光の進行方向が前記法線方向に対してなす角度が、前記上側面のうちの前記表面側に最も近い平面部分が前記法線方向に対してなす角度よりも大きくなるように、設定されている、
請求項１０に記載の採光部材の製造方法。
【請求項１２】
前記所定の角度は、前記採光部材の上下及び表裏が前記規定方向に配置された状態において、上方に傾斜した方向から前記表面に光を入射させた際に、この光が前記上側面のうちの前記表面側に最も近い平面部分のみに入射するように、設定されている、
請求項１１に記載の採光部材の製造方法。
【請求項１３】
前記加工工程では、前記方向判別工程の判別結果に基づいて、前記採光部材に方向を示す指標を設ける、
請求項７乃至１２のいずれかに記載の採光部材の製造方法。
【請求項１４】
前記採光部材に方向を示す指標が予め設けられており、
前記加工工程では、前記方向判別工程の判別結果に基づいて、前記指標の正誤を確認し、前記指標が示す方向と実際の前記採光部材の方向とが相違する場合には前記指標を修正する、
請求項７乃至１２のいずれかに記載の採光部材の製造方法。
【請求項１５】
上下及び表裏が規定方向に配置された状態において、上方に設計角度範囲内の角度で傾斜した方向から表面に入射する光を全反射させる光偏向要素を含み、前記光偏向要素によって全反射させた光を裏面から出射させる採光部材を準備する準備工程と、
前記採光部材の上下及び表裏のうちの少なくとも一方を判別する方向判別工程と、
を備え、
前記方向判別工程では、前記設計角度範囲内の所定の角度で傾斜した方向から試験光を前記採光部材に入射させ、前記採光部材から出射された出射光に基づいて、前記採光部材の上下及び表裏のうちの少なくとも一方を判別する、
採光部材の方向判別方法。
【請求項１６】
前記所定の角度は、前記採光部材の表裏が前記規定方向とは反対に配置された状態において、上方に傾斜した方向から前記裏面に光を入射させた際に、この光が前記光偏向要素によって全反射しない角度に、設定されている、
請求項１５に記載の採光部材の方向判別方法。
【請求項１７】
前記所定の角度は、前記採光部材の上下が前記規定方向とは反対に設置された状態において、上方に傾斜した方向から前記表面に光を入射させた際に、この光が前記光偏向要素によって全反射しない角度に、設定されている、
請求項１５又は１６に記載の採光部材の方向判別方法。
【請求項１８】
前記採光部材は、シート状に形成された基部と、前記基部のシート面方向に配列された複数の前記光偏向要素と、を含み、
前記光偏向要素は、前記基部よりも低い屈折率の材料からなり、
前記複数の光偏向要素が配列された方向を上下として、上下及び表裏が規定方向となるように前記採光部材が配置された状態において、前記光偏向要素の上側面は、前記採光部材の厚さ方向に沿う縦断面で下方に向けて凸の折れ線状又は曲線状に形成されており、
前記上側面は、前記基部の法線方向に対してなす角度が前記裏面側よりも前記表面側で大きくなっている、
請求項１５乃至１７のいずれかに記載の採光部材の方向判別方法。
【請求項１９】
前記光偏向要素の上側面は、前記採光部材の厚さ方向に沿う縦断面で折れ線状に形成されており、
前記所定の角度は、前記採光部材の上下及び表裏が前記規定方向に配置された状態において、上方に傾斜した方向から前記表面に光を入射させた際に、この光の進行方向が前記法線方向に対してなす角度が、前記上側面のうちの前記表面側に最も近い平面部分が前記法線方向に対してなす角度よりも大きくなるように、設定されている、
請求項１８に記載の採光部材の方向判別方法。
【請求項２０】
前記所定の角度は、前記採光部材の上下及び表裏が前記規定方向に配置された状態において、上方に傾斜した方向から前記表面に光を入射させた際に、この光が前記上側面のうちの前記表面側に最も近い平面部分のみに入射するように、設定されている、
請求項１９に記載の採光部材の方向判別方法。
【発明の詳細な説明】
【技術分野】
【０００１】
本発明は、太陽光等の外光を所望の採光性能で室内に採光するための採光機能付き開口構造の製造方法、採光部材の製造方法及び採光部材の方向判別方法に関する。
【背景技術】
【０００２】
太陽光等の外光を偏向させて室内に採光するための採光部材が従来から知られている。このような採光部材としては、シート状に形成された採光シートや、採光シートを２枚のガラスの間に配置して構成された合わせガラス、スラット部が採光機能を有する採光ブラインド、ロールスクリーン状に形成された採光ロールスクリーン等が挙げられる。例えば、採光シートは、建造物の窓ガラス等に貼り付けられて使用され、合わせガラスや採光ブラインド、採光ロールスクリーンは、建造物等の開口部に設置されて使用される。このような採光部材は、例えば、入射された外光を室内の天井側に偏向させて出射させることにより、単に外光を室内に透過させる場合に比べて、室内全体を明るくしたりすることができる。
【０００３】
特許文献１には、この種の採光シートが開示されている。この採光シートは、透光性を有するシート状の基材層と、光を偏向する光偏向層と、を備えている。前記光偏向層は、基材層の一方の面に沿って複数並べて配置された光透過部と、複数の光透過部の間に配置され光透過部よりも低い屈折率の材料が充填された光偏向部と、を有している。
【０００４】
この特許文献１にかかる採光シートは、上下方向に沿うように建造物の窓ガラス等に貼り付けられた状態で使用され得る。このような使用状態において、その光偏向部の上部となる側の辺が、厚み方向の断面で、下に凸となる折線状等を呈するように形成されている。このような形状によって、外光を室内の天井側に偏向させて出射することが可能となっている。
【０００５】
また、特許文献２には、シート面の法線方向に関して非対称に形成されたプリズムでなる光偏向部を有する採光シートが開示されている。この採光シートでは、太陽光はプリズムの上面側に入射するため、この上面側に入射した光の多くが室内の斜め上方に反射されるように上面の形状が最適化されている。
【０００６】
特許文献１及び特許文献２に開示された採光シートでは、光偏向部が、シート面の法線方向に関して非対称に形成されている。一方で、シート面の法線方向に関して対称に形成された光偏向部を有する採光シートも従来から知られている。
【先行技術文献】
【特許文献】
【０００７】
【特許文献１】特開２０１４−１１９７３８号公報
【特許文献２】特表２０１３−５１４５４９号公報
【発明の概要】
【発明が解決しようとする課題】
【０００８】
光偏向部がシート面の法線方向に関して非対称に形成される採光部材は、その上下又は表裏を間違えて使用すると、所望の採光性能を得ることができなくなってしまう。一方、光偏向部がシート面の法線方向に関して対称に形成される採光部材では、表裏面が正しく配置されていれば、上下の方向を間違えたとしても適切に使用することができる場合もある。しかし、表裏面を間違えて使用すると、所望の採光性能を得ることができなくなってしまう。
【０００９】
そのため、このような採光部材を使用する際には、その方向を正確に把握する必要がある。しかしながら、光偏向部は、通常、微小なサイズであり、しかも透明である。そのため、目視による外観の確認によっては、その上下及び表裏を容易には判別できない。その結果、方向を間違えて使用することにより、所望の採光性能が得られない状況が生じ得る。そして、その修正に手間がかかるという問題が生じてしまう。例えば、採光シートを有する合わせガラスは、ガラスの間に採光シートが不適切に配置されて構成されると、その修正に非常に手間がかかってしまい、製造工程における歩留まり低下を招いたりする。
【００１０】
このような採光部材の方向を認識するための対策としては、製造段階において、採光部材に方向を示す指標を設けること等も考えられる。しかしながら、このような指標は、採光部材の設置後においても目視可能な位置に配置される可能性がある。そのため、この対策は、外観を考慮すると必ずしも好ましいとはいえない。
【００１１】
本発明は上記実情に鑑みてなされたものであり、採光部材の方向が容易に判別され、採光部材が正しい方向に設置される又は設置可能となることにより、所望の採光性能を得ることができる採光機能付き開口構造の製造方法、採光部材の製造方法及び採光部材の方向判別方法を提供することを目的とする。
【課題を解決するための手段】
【００１２】
上記課題を解決するために、本発明は、上下及び表裏が規定方向に配置された状態において、上方に設計角度範囲内の角度で傾斜した方向から表面に入射する光を全反射させる光偏向要素を含み、前記光偏向要素によって全反射させた光を裏面から出射させる採光部材を準備する準備工程と、前記採光部材の上下及び表裏のうちの少なくとも一方を判別する方向判別工程と、前記方向判別工程の判別結果に基づいて、前記採光部材を構造物に形成された開口部に設置して採光機能付き開口構造を構成する設置工程と、を備え、前記方向判別工程では、前記設計角度範囲内の所定の角度で傾斜した方向から試験光を前記採光部材に入射させ、前記採光部材から出射された出射光に基づいて、前記採光部材の上下及び表裏のうちの少なくとも一方を判別する、採光機能付き開口構造の製造方法を提供する。
【００１３】
前記所定の角度は、前記採光部材の表裏が前記規定方向とは反対に配置された状態において、上方に傾斜した方向から前記裏面に光を入射させた際に、この光が前記光偏向要素によって全反射しない角度に、設定されている、ことが好ましい。
【００１４】
また、前記所定の角度は、前記採光部材の上下が前記規定方向とは反対に配置された状態において、上方に傾斜した方向から前記表面に光を入射させた際に、この光が前記光偏向要素によって全反射しない角度に、設定されている、ことが好ましい。
【００１５】
また、前記採光部材は、シート状に形成された基部と、前記基部のシート面方向に配列された複数の前記光偏向要素と、を含み、前記光偏向要素は、前記基部よりも低い屈折率の材料からなり、前記光偏向要素の上側面は、前記採光部材の厚さ方向に沿う縦断面で下方に向けて凸の折れ線状又は曲線状に形成されており、前記上側面は、前記基部の法線方向に対してなす角度が前記裏面側よりも前記表面側で大きくなっていてもよい。
【００１６】
ここで、前記光偏向要素の上側面が、前記採光部材の厚さ方向に沿う縦断面で折れ線状に形成されている場合、前記所定の角度は、前記採光部材の上下及び表裏が前記規定方向に配置された状態において、上方に傾斜した方向から前記表面に光を入射させた際に、この光の進行方向が前記法線方向に対してなす角度が、前記上側面のうちの前記表面側に最も近い平面部分が前記法線方向に対してなす角度よりも大きくなるように、設定されている、ことが好ましい。
【００１７】
また、前記所定の角度は、前記採光部材の上下及び表裏が前記規定方向に配置された状態において、上方に傾斜した方向から前記表面に光を入射させた際に、この光が前記上側面のうちの前記表面側に最も近い平面部分のみに入射するように、設定されている、ことが好ましい。
【００１８】
また、本発明は、上下及び表裏が規定方向に配置された状態において、上方に設計角度範囲内の角度で傾斜した方向から表面に入射する光を全反射させる光偏向要素を含み、前記光偏向要素によって全反射させた光を裏面から出射させる採光部材を準備する準備工程と、前記採光部材の上下及び表裏のうちの少なくとも一方を判別する方向判別工程と、前記方向判別工程の判別結果に基づいて、前記採光部材に加工を行う加工工程と、を備え、前記方向判別工程では、前記設計角度範囲内の所定の角度で傾斜した方向から試験光を前記採光部材に入射させ、前記採光部材から出射された出射光に基づいて、前記採光部材の上下及び表裏のうちの少なくとも一方を判別する、採光部材の製造方法を提供する。
【００１９】
前記所定の角度は、前記採光部材の表裏が前記規定方向とは反対に配置された状態において、上方に傾斜した方向から前記裏面に光を入射させた際に、この光が前記光偏向要素によって全反射しない角度に、設定されている、ことが好ましい。
【００２０】
また、前記所定の角度は、前記採光部材の上下が前記規定方向とは反対に配置された状態において、上方に傾斜した方向から前記表面に光を入射させた際に、この光が前記光偏向要素によって全反射しない角度に、設定されている、ことが好ましい。
【００２１】
また、前記採光部材は、シート状に形成された基部と、前記基部のシート面方向に配列された複数の前記光偏向要素と、を含み、前記光偏向要素は、前記基部よりも低い屈折率の材料からなり、前記光偏向要素の上側面は、前記採光部材の厚さ方向に沿う縦断面で下方に向けて凸の折れ線状又は曲線状に形成されており、前記上側面は、前記基部の法線方向に対してなす角度が前記裏面側よりも前記表面側で大きくなっていてもよい。
【００２２】
ここで、前記光偏向要素の上側面が、前記採光部材の厚さ方向に沿う縦断面で折れ線状に形成されている場合、前記所定の角度は、前記採光部材の上下及び表裏が前記規定方向に配置された状態において、上方に傾斜した方向から前記表面に光を入射させた際に、この光の進行方向が前記法線方向に対してなす角度が、前記上側面のうちの前記表面側に最も近い平面部分が前記法線方向に対してなす角度よりも大きくなるように、設定されている、ことが好ましい。
【００２３】
また、前記所定の角度は、前記採光部材の上下及び表裏が前記規定方向に配置された状態において、上方に傾斜した方向から前記表面に光を入射させた際に、この光が前記上側面のうちの前記表面側に最も近い平面部分のみに入射するように、設定されている、ことが好ましい。
【００２４】
前記加工工程では、前記方向判別工程の判別結果に基づいて、前記採光部材に方向を示す指標を設ける、ようにしてもよい。
【００２５】
また、前記採光部材に方向を示す指標が予め設けられている場合、前記加工工程では、前記方向判別工程の判別結果に基づいて、前記指標の正誤を確認し、前記指標が示す方向と実際の前記採光部材の方向とが相違する場合には前記指標を修正する、ようにしてもよい。
【００２６】
また、本発明は、上下及び表裏が規定方向に配置された状態において、上方に設計角度範囲内の角度で傾斜した方向から表面に入射する光を全反射させる光偏向要素を含み、前記光偏向要素によって全反射させた光を裏面から出射させる採光部材を準備する準備工程と、前記採光部材の上下及び表裏のうちの少なくとも一方を判別する方向判別工程と、を備え、前記方向判別工程では、前記設計角度範囲内の所定の角度で傾斜した方向から試験光を前記採光部材に入射させ、前記採光部材から出射された出射光に基づいて、前記採光部材の上下及び表裏のうちの少なくとも一方を判別する、採光部材の方向判別方法を提供する。
【００２７】
前記所定の角度は、前記採光部材の表裏が前記規定方向とは反対に配置された状態において、上方に傾斜した方向から前記裏面に光を入射させた際に、この光が前記光偏向要素によって全反射しない角度に、設定されている、ことが好ましい。
【００２８】
また、前記所定の角度は、前記採光部材の上下が前記規定方向とは反対に設置された状態において、上方に傾斜した方向から前記表面に光を入射させた際に、この光が前記光偏向要素によって全反射しない角度に、設定されている、ことが好ましい。
【００２９】
また、前記採光部材は、シート状に形成された基部と、前記基部のシート面方向に配列された複数の前記光偏向要素と、を含み、前記光偏向要素は、前記基部よりも低い屈折率の材料からなり、前記光偏向要素の上側面は、前記採光部材の厚さ方向に沿う縦断面で下方に向けて凸の折れ線状又は曲線状に形成されており、前記上側面は、前記基部の法線方向に対してなす角度が前記裏面側よりも前記表面側で大きくなっていてもよい。
【００３０】
ここで、前記光偏向要素の上側面が、前記採光部材の厚さ方向に沿う縦断面で折れ線状に形成されている場合、前記所定の角度は、前記採光部材の上下及び表裏が前記規定方向に配置された状態において、上方に傾斜した方向から前記表面に光を入射させた際に、この光の進行方向が前記法線方向に対してなす角度が、前記上側面のうちの前記表面側に最も近い平面部分が前記法線方向に対してなす角度よりも大きくなるように、設定されている、ことが好ましい。
【００３１】
また、前記所定の角度は、前記採光部材の上下及び表裏が前記規定方向に配置された状態において、上方に傾斜した方向から前記表面に光を入射させた際に、この光が前記上側面のうちの前記表面側に最も近い平面部分のみに入射するように、設定されている、ことが好ましい。
【発明の効果】
【００３２】
本発明によれば、採光部材の方向が容易に判別され、採光部材が正しい方向に設置される又は設置可能となることにより、所望の採光性能を得ることができる。
【図面の簡単な説明】
【００３３】
【図１】本発明の第１の実施の形態による製造方法によって製造される採光機能付き開口構造の概略図である。
【図２】前記開口構造を構成する採光部材としての合わせガラスの正面図である。
【図３】前記開口構造の縦断面図である。
【図４】図３の要部拡大図である。
【図５】前記合わせガラスに含まれる採光シートの拡大図である。
【図６】第１の実施の形態による製造方法の方向判別工程を説明する図である。
【図７】前記方向判別工程の詳細を説明する図である。
【図８】本発明の第２の実施の形態による採光部材の製造方法を説明する図である。
【図９】第１の実施の形態及び第２の実施の形態における方向判別工程で判別が行われた採光部材とは異なる構成の採光部材に対して方向判別工程を行う例を説明する図である。
【図１０】第１の実施の形態及び第２の実施の形態における方向判別工程で判別が行われた採光部材及び図９に示した採光部材とは異なる構成の採光部材に対して方向判別工程を行う例を説明する図である。
【図１１】第１の実施の形態及び第２の実施の形態における方向判別工程で判別が行われた採光部材及び図９，１０に示した採光部材とは異なる構成の採光部材に対して方向判別工程を行う例を説明する図である。
【図１２】実施例にかかる方向判別工程において採光部材から出射された光の強度を説明する図である。
【発明を実施するための形態】
【００３４】
以下、図面を参照して本発明の各実施の形態について説明する。なお、本件明細書に添付する図面においては、図示と理解のしやすさの便宜上、適宜縮尺及び縦横の寸法比等を、実物のそれらから変更し誇張してある。
【００３５】
また、本件明細書において、「シート」、「フィルム」、「板」の用語は、呼称の違いのみに基づいて、互いから区別されるものではない。例えば、「シート」はフィルムや板と呼ばれ得るような部材も含む概念である。
【００３６】
さらに、本件明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００３７】
さらに、「シート面（フィルム面、板面）」とは、対象となるシート状（フィルム状、板状）部材を全体的かつ大局的に見た場合において対象となるシート状部材（フィルム状部材、板状部材）の平面方向と一致する面のことを指す。
【００３８】
＜第１の実施の形態＞
第１の実施の形態においては、採光機能付き開口構造の製造方法について説明する。図１は、本実施の形態において製造される採光機能付き開口構造１（以下、開口構造１と略す。）の概略図である。図２は、開口構造１を構成する採光部材としての合わせガラス１０の正面図であり、図３は、開口構造１の縦断面図である。以下では、まず、開口構造１及び合わせガラス１０の概略構成について説明する。
【００３９】
（採光機能付き開口構造及び合わせガラス）
図１において、符号Ｗは、構造物としての建造物における壁を示しており、この壁Ｗには、開口部２が形成されている。本実施の形態によって製造される開口構造１は、開口部２に採光部材としての合わせガラス１０を設置することにより、構成される。開口構造１は、図中矢印ＯＵＴで示す側である室外側からの太陽光を合わせガラス１０に入射させ、この入射された光を所望の採光性能で、矢印ＩＮで示す側である室内側に採光する。
【００４０】
合わせガラス１０は、矩形状に形成された採光シート２０と、この採光シート２０を挟み込む矩形状の外側パネル１２及び内側パネル１３と、採光シート２０を挟み込んだ状態のパネル１２，１３の外周縁を取り囲む矩形枠状の枠部材１４と、を有している。
【００４１】
このうち、採光シート２０は、採光性能を有する部材である。パネル１２，１３は、ガラスパネルや樹脂パネル等、通常の建造物や乗り物の窓等に用いられる透光性を有する板状の透光パネルである。枠部材１４は、開口部２に合わせガラス１０を保持するための部材である。
【００４２】
図１及び図３において符号Ｖは、鉛直方向を示している。この例では、パネル１２，１３の板面が鉛直方向に沿うように、合わせガラス１０が開口部２に設置されて使用される。詳しくは、合わせガラス１０は、上部１０Ｕ及び下部１０Ｄを有しており、上部１０Ｕが上方を向き、下部１０Ｄが下方を向き、外側パネル１２が室外側を向き、内側パネル１３が室内側を向き、且つ、パネル１２，１３の板面が鉛直方向に沿う状態に設置されて使用されるようになっている。
【００４３】
合わせガラス１０は、上記のような使用状態で、図３の複数の矢印に示すように、外側パネル１２に入射された光を、採光シート２０によって所望の採光性能が得られるように偏向させて内側パネル１３から出射させる。図中において、符号１０Ａは、外側パネル１２のうちの光が入射される室外側を向く表面を示し、符号１０Ｂは、内側パネル１３のうちの光が出射される室内側を向く裏面を示している。また、図中の符号Ｈは、表面１０Ａ及び裏面１０Ｂに直交する合わせガラス１０乃至採光シート２０の法線方向を示している。この法線Ｈは、水平方向に平行に延びている。
【００４４】
図４に示すように、採光シート２０は、第１接着層３１を介して外側パネル１２に接着されると共に、第２接着層３２を介して内側パネル１３に接着されている。接着層３１，３２は、熱可塑性樹脂等であり、透光性を有している。また、採光シート２０は、シート状に形成された基部２１と、基部２１のシート面方向に配列された複数の光偏向要素２２と、を有している。基部２１には、シート面方向に沿って離隔して形成された複数の溝２１Ａが形成されている。溝２１Ａの各々の内部に、光偏向要素２２が配置されている。また、光偏向要素２２は、基部２１の屈折率ＮＡよりも低い屈折率ＮＢの材料からなる。なお、図４においては、説明の便宜上、基部２１にハッチングを付していない。
【００４５】
図５には、光偏向要素２２が拡大されて示されている。図５に示すように、光偏向要素２２の上側面２２Ｕは、採光シート２０の厚さ方向に沿う縦断面で下方に向けて凸の折れ線状に形成されている。詳しくは、上側面２２Ｕは、表面１０Ａ側に位置する第１面部２３Ａと、裏面１０Ｂ側に位置する第２面部２３Ｂと、の２つの平面部分を有している。第１面部２３Ａが法線方向Ｈに対してなす角度は、第２面部２３Ｂが法線方向Ｈに対してなす角度よりも大きくなっている。一方で、光偏向要素２２の下側面２２Ｄは、断面視で直線状に延びるように形成されている。
【００４６】
図５において、符号αは、上側面２２Ｕのうちの第１面部２３Ａが、法線方向Ｈとなす角度を示し、符号βは、上側面２２Ｕのうちの第２面部２３Ｂが、法線方向Ｈとなす角度を示している。ここで、α＞βの関係が成り立つ。また、符号γは、下側面２２Ｄが、法線方向Ｈとなす角度を示している。さらに、符号ａは、第１面部２３Ａの法線方向Ｈ（厚み方向）での長さ寸法を示し、符号ｂは、第２面部２３Ｂの法線方向Ｈ（厚み方向）での長さ寸法を示している。また、符号ｈは、第１面部２３Ａの表面１０Ａ側の端部と、上方で隣接する他の光偏向要素２２の下側面２２Ｄの表面１０Ａ側の端部とのシート面方向での距離を示している。
【００４７】
このような採光シート２０では、合わせガラス１０の上下及び表裏が、図示の「規定方向」に配置された状態において、上述の光偏向要素２２が、図３に示すように、上方に設計角度範囲Ｒａ内の角度で傾斜した方向から表面１０Ａに入射する光を全反射させるように、第１面部２３Ａの角度αや第２面部２３Ｂの角度β等が設計されている。そして、光偏向要素２２は、全反射させた光を、裏面１０Ｂから上方に跳ね上がるように出射させるようになっている。これにより、合わせガラス１０では、所望の採光性能が得られる。なお、合わせガラス１０の上下及び表裏が「規定方向」に配置された状態とは、この例では、合わせガラス１０において、上部１０Ｕが上方を向き、下部１０Ｄが下方を向き、光が入射する外側パネル１２が室外側を向き、内側パネル１３が室内側を向くように配置され、且つ、パネル１２，１３の板面が鉛直方向に沿う状態となることを意味する。
【００４８】
例えば、図５に示すθ１及びθ２は、設計角度範囲Ｒａ内のある角度を示している。このうち、角度θ１の方向から入射した光は、基部２１の内部において屈折され、光偏向要素２２の第１面部２３Ａに対してθＡだけ傾斜した角度で、この第１面部２３Ａに入射し、全反射されて上方に出射されるようになっている。また、角度θ２の方向から入射した光は、基部２１の内部において屈折され、光偏向要素２２の第２面部２３Ｂに対してθＢだけ傾斜した角度で、この第２面部２３Ｂに入射し、全反射されて上方に出射されるようになっている。このように、光偏向要素２２は、設計角度範囲Ｒａ内の角度で入射される光を第１面部２３Ａ又は第２面部２３Ｂで全反射させるように、角度αや角度β等が設計されている。
【００４９】
なお、図５においては、内側パネル１２及び第１接着層３１を省略している。この例では、説明の便宜のために、内側パネル１２、第１接着層３１及び基部２１の屈折率が同等であるものとする。したがって、図５に示すように、室外の屈折率をＮ０とする場合、角度θ１で表面１０Ａに入射する光は、Ｎ０ｓｉｎθ１＝ＮＡｓｉｎθｘの関係を充足しつつ基部２１内を進行する。したがって、当該光の採光シート２０内（基部２１内）での進行方向が第１面部２３Ａに対して傾斜する角度θＡは、θＡ＝θｘ−αで算出される。一方、角度θ２で表面１０Ａに入射する光は、Ｎ０ｓｉｎθ２＝ＮＡｓｉｎθｙの関係を充足しつつ基部２１内を進行する。したがって、当該光の採光シート２０内（基部２１内）での進行方向が第２面部２３Ｂに対して傾斜する角度θＢは、θＢ＝θｙ−βで算出される。
【００５０】
一方で、この採光シート２０では、合わせガラス１０の上下及び表裏が「規定方向」に配置されていない状態、例えば上下の方向が「規定方向」とは反対等の状態においては、上方に設計角度範囲Ｒａ内の角度で傾斜した方向から光が入射された場合でも、所望の採光性能が得られない、言い換えると、所望の採光性能とは異なる採光性能が得られる。したがって、合わせガラス１０の上下及び表裏が「規定方向」に配置される状態と、そうでない状態とでは、同一の条件で光を入射させた場合であっても、採光性能に違いが生じるようになっている。
【００５１】
具体的には、上下及び表裏が「規定方向」に配置された状態においては、上方に設計角度範囲Ｒａ内の角度で傾斜した方向から光が入射された場合に、この光が光偏向要素２２によって全反射されて裏面１０Ｂから上方に跳ね上がるように出射される出射態様が得られる。一方で、上下及び表裏が「規定方向」に配置されていない状態においては、同一の条件で光を入射された場合であっても、異なる出射態様が得られる。そのため、所望の採光性能が得られない。
【００５２】
以上に説明したように、上述の合わせガラス１０は、上下及び表裏が「規定方向」に配置されていない状態である場合には、所望の採光性能が得られない。したがって、合わせガラス１０の方向が不適切な状態で開口部２に設置されると、開口構造１が所望の採光性能を発揮できない。このような状況を防止するために、以下に説明する本実施の形態の開口構造１の製造方法は、合わせガラス１０を壁Ｗの開口部２に設置する前に、その方向を判別する工程を備える。その後に、開口部２に適切に合わせガラス１０が設置される。
【００５３】
（採光機能付き開口構造の製造方法）
以下、本実施の形態による製造方法について詳細に説明する。概略として、本実施の形態による採光機能付き開口構造１の製造方法は、上述の合わせガラス１０を準備する準備工程と、合わせガラス１０の上下及び表裏を判別する方向判別工程と、方向判別工程の判別結果に基づいて、合わせガラス１０を壁Ｗの開口部２に設置して開口構造１を構成する設置工程と、を備えている。
【００５４】
このうち、方向判別工程においては、合わせガラス１０に対して設計角度範囲Ｒａ内の所定の角度θｔで傾斜した方向から試験光Ｌｔを入射させ、合わせガラス１０から出射された出射光に基づいて、合わせガラス１０の上下及び表裏を判別する。
【００５５】
図６は、本実施の形態にかかる方向判別工程を説明する図である。同図に示すように、本実施の形態では、合わせガラス１０を鉛直方向に沿う状態に保持して、上方に所定の角度θｔで傾斜した方向から試験光Ｌｔを合わせガラス１０に入射させ、その出射光を壁面Ｗｓに照射させる。なお、合わせガラス１０を鉛直方向に沿う状態に保持する際、理想的には、合わせガラス１０を厳密に鉛直方向に平行となるように保持するが、鉛直方向に対して多少傾斜していても構わない。また、この例では、試験光Ｌｔを出射する装置として、点光源装置１００が用いられている。試験光Ｌｔは、直進性が高い光であることが好ましい。また、点光源装置１００は、作業員が手で容易に扱える小型の光源であることが好ましい。そのため、点光源装置１００としては、例えば、レーザポインタ等が好適である。
【００５６】
上述したように、合わせガラス１０の上下及び表裏が「規定方向」に配置された状態においては、上方に設計角度範囲Ｒａ内の角度で傾斜した方向から光が入射された場合に、この光が光偏向要素２２によって全反射されて裏面１０Ｂから上方に跳ね上がるように出射される出射態様が得られる。一方で、合わせガラス１０の上下及び表裏が「規定方向」に配置されていない状態においては、上述と同一の条件で光を入射させた場合であっても、異なる出射態様が得られる。
【００５７】
そのため、上述したように合わせガラス１０を鉛直方向に沿う状態に保持して、上方に所定の角度θｔで傾斜した方向から試験光Ｌｔを合わせガラス１０に入射させた場合には、合わせガラス１０の方向に応じて、出射光の出射態様が相違することにより、壁面Ｗｓにおける照射パターンに相違が生じる。本実施の形態による方向判別工程では、このような照射パターンの相違に基づいて、合わせガラス１０の方向が判別される。
【００５８】
具体的には、合わせガラス１０を鉛直方向に沿う状態に保持した際に、表面１０Ａが試験光Ｌｔの入射側を向き合わせガラス１０の上下及び表裏が「規定方向」に配置された状態においては、入射された光は全反射されるため、出射光は、光偏向要素２２によって上方に跳ね上がるように出射される出射態様となり、壁面Ｗｓの上方側に出射光が照射される照射パターンが確認され得る。一方、合わせガラス１０の表面１０Ａが試験光Ｌｔを入射する側とは反対側を向いている状態、又は、上部１０Ｕが下方を向いている状態では、「規定方向」の状態で確認され得る照射パターンとは相違する照射パターンが確認され得る。具体的に本実施の形態では、このような照射パターンの相違から、合わせガラス１０の方向を判別することができる。
【００５９】
すなわち、壁面Ｗｓの上方側に出射光が照射される照射パターンが確認された場合には、合わせガラス１０の表面１０Ａ及び上部１０Ｕの方向を特定でき、その他の照射パターンが確認された場合には、表面１０Ａ及び上部１０Ｕの方向を明確に特定できないため、壁面Ｗｓの上方側に出射光が照射される照射パターンが確認されるまで、方向判別工程の作業を繰り返せば、合わせガラス１０の表面１０Ａ及び上部１０Ｕの方向を特定できる。
【００６０】
以上のように、本実施の形態による方向判別工程によれば、合わせガラス１０に対して設計角度範囲Ｒａ内の所定の角度θｔで傾斜した方向から試験光Ｌｔを入射させ、合わせガラス１０から出射された出射光を確認することによって、合わせガラス１０の方向に容易に判別することができる。
【００６１】
ここで、上述の所定の角度θｔは、設計角度範囲Ｒａ内の角度が選択され得るが、選択された角度によっては、合わせガラス１０の方向に応じて相違する照射パターンに明確な相違が生じない場合がある。その結果、合わせガラス１０の方向の判別が容易且つ正確に行うことができなくなる状況が生じ得る。そのため、本実施の形態では、合わせガラス１０の方向を容易且つ正確に判別するために、以下に説明する条件１〜５を充足するように、所定の角度θｔが設定される。
【００６２】
（条件１）
まず、条件１として、所定の角度θｔは、合わせガラス１０の上下及び表裏が「規定方向」に配置された状態において、上方に傾斜した方向から試験光Ｌｔを表面１０Ａに入射させた際に、この光が光偏向要素２２のうちの第１面部２３Ａで全反射する角度に、設定される。
【００６３】
本実施の形態では、設計角度範囲Ｒａ内の角度であれば、入射される試験光Ｌｔは、第１面部２３Ａ又は第２面部２３Ｂで全反射され得る。しかしながら、試験光Ｌｔが第１面部２３Ａ及び第２面部２３Ｂの両方で全反射されると、出射光が広範囲に壁面Ｗｓに照射されて、照射パターンが特徴的な状態となり難くなる傾向がある。一方で、試験光Ｌｔが、主に第１面部２３で全反射された場合には、出射光が壁面Ｗｓにスポット的に照射され得て、照射パターンが特徴的となり得る。照射パターンが特徴的である場合には、合わせガラス１０の方向（表面１０Ａ及び上部１０Ｕ）を容易且つ正確に判別することができる。したがって、条件１は、試験光Ｌｔが主に第１面部２３Ａで全反射されて、出射光の照射パターンを特徴的なものとするための前提として、設定されている。
【００６４】
この条件１は、合わせガラス１０の上下及び表裏が「規定方向」に配置された状態において、上方に傾斜した方向から試験光Ｌｔを表面１０Ａに入射させた際に、この光の進行方向が法線方向Ｈに対してなす角度が、上側面２２Ｕのうちの第１面部２３Ａが法線方向Ｈに対してなす角度よりも大きくなるように、所定の角度θｔが設定される、という条件である。これに加えて、試験光Ｌｔを表面１０Ａに入射させた際に、この光の進行方向が法線方向Ｈに対してなす角度が、第１面部２３Ａにおける全反射の臨界角よりも小さくなるように、所定の角度θｔが設定される、という条件である。
【００６５】
厳密に説明すると、図５に示した角度や屈折率を参照し、採光シート２０における基部２１内で法線方向Ｈに対してなす角度θｘだけ傾斜した角度で入射する光は、以下の式（１）の範囲で、全反射する。
【００６６】
α＜θｘ＜α＋９０°−ａｒｃｓｉｎ（ＮＢ／ＮＡ）・・・（１）
【００６７】
上記式（１）に基づき、条件１を充足する所定の角度θｔは、以下の式（２）で表される。
【００６８】
ａｒｃｓｉｎ（（ＮＢ／Ｎ０）ｓｉｎα）＜θｔ＜ａｒｃｓｉｎ（（ＮＡ／Ｎ０）ｓｉｎ（α＋９０°−ａｒｃｓｉｎ（ＮＢ／ＮＡ））・・・（２）
【００６９】
（条件２）
次に、条件２として、所定の角度θｔは、合わせガラス１０の上下及び表裏が「規定方向」に配置された状態において、上方に傾斜した方向から試験光Ｌｔを表面１０Ａに入射させた際に、この光が光偏向要素２２のうちの第２面部２３Ｂで全反射しない角度に、設定される。
【００７０】
上述したように、試験光Ｌｔが第１面部２３Ａ及び第２面部２３Ｂの両方で全反射されると、出射光が広範囲に壁面Ｗｓに照射されて、照射パターンが特徴的な状態となり難くなる傾向がある。一方で、試験光Ｌｔが、主に第１面部２３で全反射された場合には、出射光が壁面Ｗｓにスポット的に照射され得て、照射パターンが特徴的となり得る。ここで、試験光Ｌｔが、第２面部２３Ｂに全反射されず、第１面部２３のみで全反射された場合には、出射光が壁面Ｗｓに明確にスポット的に照射され得て、照射パターンが明確に特徴的となり得る。したがって、条件２は、試験光Ｌｔが第１面部２３のみで全反射されて、出射光の照射パターンを明確に特徴的なものとするために、設定されている。これにより、合わせガラス１０の上下及び表裏が「規定方向」に配置された状態において、上方に傾斜した方向から試験光Ｌｔを表面１０Ａに入射させた際に、スポット的に照射される特徴的な照射パターンから、試験光Ｌｔを入射させた合わせガラス１０の状態が「規定方向」の状態であることを容易に判別することができる。このことから、合わせガラス１０の方向を容易に判別することが可能となる。
【００７１】
図５に示した角度や屈折率を参照し、採光シート２０における基部２１内で法線方向Ｈに対してなす角度θｙだけ傾斜した角度で入射する光は、以下の式（３）の範囲で、全反射しない。
【００７２】
θｙ−β＞９０°−ａｒｃｓｉｎ（ＮＢ／ＮＡ）・・・（３）
【００７３】
上記式（３）に基づき、条件２を充足する所定の角度θｔは、以下の式（４）で表される。
【００７４】
ａｒｃｓｉｎ（（ＮＢ／Ｎ０）ｓｉｎ（β＋９０°−ａｒｃｓｉｎ（ＮＢ／ＮＡ））＜θｔ・・・（４）
【００７５】
（条件３）
次に、条件３として、所定の角度θｔは、合わせガラス１０の表裏が「規定方向」とは反対に配置され、且つ、上下の方向は正しく配置された状態において、上方に傾斜した方向から裏面１０Ｂに光を入射させた際に、この光が光偏向要素２２のうちの第２面部２３Ｂによって全反射しない角度に、設定される。すなわち、図５を参照し、矢印Ｘの方向から光を入射させた際に、この光が光偏向要素２２のうちの第２面部２３Ｂによって全反射しない角度に、所定の角度θｔが設定される。
【００７６】
合わせガラス１０の表裏が「規定方向」とは反対に配置され、且つ、上下の方向は正しく配置された状態において、上方に傾斜した方向から裏面１０Ｂに光を入射させた際に、この光が光偏向要素２２のうちの第２面部２３Ｂによって全反射すると、その照射パターンは、合わせガラス１０の上下及び表裏が「規定方向」に配置された状態において試験光Ｌｔを入射させた場合の出射光の照射パターンに対して、明確な相違が生じ難くなり得る。したがって、条件３は、合わせガラス１０の上下及び表裏が「規定方向」に配置された状態での出射光の照射パターンと、そうでない状態の照射パターンとの相違を明確にして、合わせガラス１０の方向を容易に判別可能とするために、設定されている。
【００７７】
条件３を充足する所定の角度θｔは、以下の式（５）で表される。
【００７８】
ａｒｃｓｉｎ（（ＮＢ／Ｎ０）ｓｉｎ（−β＋９０°−ａｒｃｓｉｎ（ＮＢ／ＮＡ））＜θｔ・・・（５）
【００７９】
（条件４）
次に、条件４として、所定の角度θｔは、合わせガラス１０の上下及び表裏が「規定方向」とは反対に配置された状態において、上方に傾斜した方向から裏面１０Ｂに光を入射させた際に、この光が光偏向要素２２のうちの下側面２２Ｄによって全反射しない角度に、設定される。すなわち、図５を参照し、矢印Ｙの方向から光を入射させた際に、この光が光偏向要素２２のうちの下側面２２Ｄによって全反射しない角度に、所定の角度θｔが設定される。
【００８０】
合わせガラス１０の上下及び表裏が「規定方向」とは反対に配置された状態において、上方に傾斜した方向から裏面１０Ｂに光を入射させた際に、この光が光偏向要素２２のうちの下側面２２Ｄによって全反射すると、その照射パターンは、合わせガラス１０の上下及び表裏が「規定方向」に配置された状態において試験光Ｌｔを入射させた場合の出射光の照射パターンに対して、明確な相違が生じ難くなり得る。したがって、条件４は、合わせガラス１０の上下及び表裏が「規定方向」に配置された状態での出射光の照射パターンと、そうでない状態の照射パターンとの相違を明確にして、合わせガラス１０の方向を容易に判別可能とするために、設定されている。
【００８１】
条件４を充足する所定の角度θｔは、以下の式（６）で表される。
【００８２】
ａｒｃｓｉｎ（（ＮＢ／Ｎ０）ｓｉｎ（γ＋９０°−ａｒｃｓｉｎ（ＮＢ／ＮＡ））＜θｔ・・・（６）
【００８３】
（条件５）
次に、条件５として、所定の角度θｔは、合わせガラス１０の上下が「規定方向」とは反対に配置された状態において、上方に傾斜した方向から表面１０Ａに光を入射させた際に、この光が光偏向要素２２のうちの下側面２２Ｄによって全反射しない角度に、設定される。すなわち、図５を参照し、矢印Ｚの方向から光を入射させた際に、この光が偏向要素２２のうちの下側面２２Ｄによって全反射しない角度に、所定の角度θｔが設定される。
【００８４】
合わせガラス１０の上下が「規定方向」とは反対に配置された状態において、上方に傾斜した方向から表面１０Ｂに光を入射させた際に、この光が光偏向要素２２のうちの下側面２２Ｄによって全反射すると、その照射パターンは、合わせガラス１０の上下及び表裏が「規定方向」に配置された状態において試験光Ｌｔを入射させた場合の出射光の照射パターンに対して、明確な相違が生じ難くなり得る。したがって、条件５は、合わせガラス１０の上下及び表裏が「規定方向」に配置された状態での出射光の照射パターンと、そうでない状態の照射パターンとの相違を明確にして、合わせガラス１０の方向を容易に判別可能とするために、設定されている。
【００８５】
条件５を充足する所定の角度θｔは、以下の式（７）で表される。
【００８６】
ａｒｃｓｉｎ（（ＮＢ／Ｎ０）ｓｉｎ（−γ＋９０°−ａｒｃｓｉｎ（ＮＢ／ＮＡ））＜θｔ・・・（７）
【００８７】
以上の条件１〜５を充足するように所定の角度θｔが設定された場合には、合わせガラス１０の上下及び表裏が「規定方向」に配置された状態での出射光の照射パターンと、そうでない状態の照射パターンとの差を明確にして、合わせガラス１０の方向を容易且つ正確に判別することが可能となる。
【００８８】
具体的には、図７（Ａ）に示すように、合わせガラス１０の上下及び表裏が「規定方向」に配置された状態において、所定の角度θｔで傾斜した方向から試験光Ｌｔを合わせガラス１０に入射させた場合には、壁面Ｗｓ（図６参照）の上方側に出射光が照射させる照射パターンが確認される。
【００８９】
一方、図７（Ｂ）に示すように、合わせガラス１０の表裏が「規定方向」とは反対に配置され、且つ、上下の方向は正しく配置された状態において、所定の角度θｔで傾斜した方向から試験光Ｌｔを合わせガラス１０に入射させた場合には、壁面Ｗｓの下方側に出射光が照射させる照射パターンが確認される。
【００９０】
また、図７（Ｃ）に示すように、合わせガラス１０の上下及び表裏が「規定方向」とは反対に配置された状態において、所定の角度θｔで傾斜した方向から試験光Ｌｔを合わせガラス１０に入射させた場合には、壁面Ｗｓの下方側に出射光が照射させる照射パターンが確認される。
【００９１】
また、図７（Ｄ）に示すように、合わせガラス１０の上下が「規定方向」とは反対に配置された状態において、所定の角度θｔで傾斜した方向から試験光Ｌｔを合わせガラス１０に入射させた場合には、壁面Ｗｓの下方側に出射光が照射させる照射パターンが確認される。
【００９２】
このように条件１〜５を充足させるように所定の角度θｔを設定した場合には、壁面Ｗｓの上方側に光が照射される照射パターンである場合に、合わせガラス１０の上下及び表裏が「規定方向」に配置されており、その他の照射パターンである場合には、合わせガラス１０の上下及び表裏が「規定方向」に配置されていないことが、照射パターンに基づき容易且つ正確に判別できるので、合わせガラス１０の方向に容易且つ正確に判別することができる。
【００９３】
ここで、以上の条件１〜５に加えて、所定の角度θｔは、以下の条件６を充足することが一層好ましい。
【００９４】
（条件６）
条件６では、合わせガラス１０の上下及び表裏が「規定方向」に配置された状態において、上方に傾斜した方向から表面１０Aに光を入射させた際に、この光が上側面２２Uのうちの第１面部２３Ａのみに入射するように、設定されるという条件を、所定の角度θｔに充足させる。
【００９５】
この場合、試験光Ｌｔが、第１面部２３のみで全反射されて、出射光が壁面Ｗｓにスポット的に照射されるため、照射パターンが顕著に特徴的となる。そのため、この照射パターンに基づき、合わせガラス１０の方向をより判別し易くなる。
【００９６】
条件６を充足する所定の角度θｔは、以下の式（８）で表される。
【００９７】
ａｒｃｓｉｎ（（ＮＡ／Ｎ０）ｓｉｎ（ａｒｃｔａｎ（ｔａｎα＋（ｈ／Ａ））））＜θｔ＜ａｒｃｓｉｎ（（ＮＡ／Ｎ０）ｓｉｎ（α＋９０°−ａｒｃｓｉｎ（ＮＢ／ＮＡ））・・・（８）
【００９８】
なお、上記式（８）は、ａｒｃｔａｎ（ｔａｎα＋（ｈ／Ａ））＜α＋９０°−ａｒｃｓｉｎ（ＮＢ／ＮＡ）が、成り立つ場合にのみ適用可能である。
【００９９】
そして、上述の方向判別工程の後には、方向を判別された合わせガラス１０を開口部２に設置して、開口構造１が構成される。
【０１００】
以上に説明した本実施の形態では、方向判別工程において、設計角度範囲Ｒａ内の所定の角度θｔで傾斜した方向から試験光Ｌｔを合わせガラス１０に入射させ、合わせガラス１０から出射された出射光に基づいて、合わせガラス１０の上下及び表裏を判別する。
【０１０１】
この方向判別工程における所定の角度θｔは、合わせガラス１０の上下及び表裏が「規定方向」に配置された状態において、当該角度で傾斜した方向から光を入射させた際に、この光を光偏向要素２２が全反射させる角度である。そのため、出射光は、光偏向要素２２によって全反射されて出射される出射態様となる。一方で、光偏向要素２２は、合わせガラス１０の上下及び表裏が「規定方向」に配置されていない状態においては、所定の角度θｔだけ傾斜した方向から光が入射されても、意図的に全反射させるように設計されていない。そのため、「規定方向」の状態とは異なる出射態様で出射光を出射する。
【０１０２】
これにより、この方向判別工程においては、所定の角度θｔで傾斜した方向から試験光Ｌｔを合わせガラス１０に入射させるだけで、合わせガラス１０の上下及び表裏が「規定方向」の状態で確認され得る出射態様と、そうでない状態で確認され得る出射態様とに相違を生じさせることができる。この出射態様の相違から、合わせガラス１０の方向を判別できる。
【０１０３】
これにより、本実施の形態によれば、合わせガラス１０の方向が容易に判別され、合わせガラス１０が開口部２に正しい方向に設置される又は設置可能となることにより、開口構造１において、所望の採光性能を得ることができる。
【０１０４】
とりわけ、本実施の形態によれば、試験光Ｌｔを合わせガラス１０に入射させて、出射光を壁面Ｗｓに照射して、その照射パターンの相違から、視覚的に合わせガラス１０の方向を判別する。この場合、照射パターンを目視によって確認して、合わせガラス１０の方向を判別できるため、方向判別工程を、容易に且つ効率良く実行することができる。
【０１０５】
また、本実施の形態によれば、所定の角度θｔが、合わせガラス１０の表裏が「規定方向」とは反対に配置された状態において、上方に傾斜した方向から裏面１０Ａに光を入射させた際に、この光が光偏向要素２２によって全反射しない角度に、設定されている（条件３及び条件４）。さらに、所定の角度θｔが、合わせガラス１０の上下が規定方向とは反対に配置された状態において、上方に傾斜した方向から表面１０Ａに光を入射させた際に、この光が光偏向要素２２によって全反射しない角度に設定されている（条件５）。これにより、合わせガラス１０の上下及び表裏が「規定方向」に配置された状態での出射光の出射態様（照射パターン）と、そうでない状態の出射態様（照射パターン）との相違を明確にすることができる。そのため、本実施の形態によれば、出射態様（照射パターン）の明確な相違に基づいて、合わせガラス１０の方向を容易且つ正確に判別することができる。
【０１０６】
なお、本実施の形態では、光偏向要素２２が法線方向Ｈに関して非対称であるが、光偏向要素２２が法線方向Ｈに関して対称である採光シート２０が用いられる場合には、上下方向の判別は必ずしも行わなくてもよい。この場合、条件５を充足させなくてもよい。また、この場合、方向判別工程においては、表裏の判別を行うだけでもよい。
【０１０７】
また、本実施の形態では、方向判別工程の対象である合わせガラス１０が、採光シート２０において、シート状に形成された基部２１と、基部２１のシート面方向に配列された複数の光偏向要素２２と、を含む。そして、光偏向要素２２は、基部２１よりも低い屈折率の材料からなり、光偏向要素２２の上側面２２Ｕは、厚さ方向に沿う縦断面で下方に向けて凸の折れ線状に形成されており、上側面２２Ｕは、法線方向Ｈに対してなす角度が裏面１０Ｂ側よりも表面１０Ａ側で大きくなっている。すなわち、第１面部２３Ａが法線方向Ｈに対してなす角度が、第２面部２３Ｂが法線方向Ｈに対してなす角度よりも大きくなっている。
【０１０８】
ここで、上述のような採光シート２０が用いられることに対応して、本実施の形態によれば、所定の角度θｔは、合わせガラス１０の上下及び表裏が「規定方向」に配置された状態において、上方に傾斜した方向から表面１０Ａに光を入射させた際に、この光の進行方向が法線方向Ｈに対してなす角度が、上側面２２Ｕのうちの表面１０Ａ側に最も近い平面部分（第１面部２３Ａ）が法線方向Ｈに対してなす角度よりも大きくなるように、設定されている。これは、所定の角度θｔが、合わせガラス１０の上下及び表裏が「規定方向」に配置された状態において、上方に傾斜した方向から試験光Ｌｔを表面１０Ａに入射させた際に、この光が光偏向要素２２のうちの第１面部２３Ａで全反射し易い角度、であることを意味する。
【０１０９】
上述したように、試験光Ｌｔが、主に第１面部２３で全反射された場合には、出射光が壁面Ｗｓにスポット的に照射され得て、照射パターンが特徴的となり得る。照射パターンが特徴的である場合には、照射パターンに基づき、合わせガラス１０の方向を容易に判別することができる。したがって、本実施の形態では、合わせガラス１０の上下及び表裏が「規定方向」に配置された状態において、上方に傾斜した方向から表面１０Ａに光を入射させた際に、この光の進行方向が法線方向Ｈに対してなす角度が、上側面２２Ｕのうちの表面１０Ａ側に最も近い平面部分（第１面部２３Ａ）が法線方向Ｈに対してなす角度よりも大きくなるように、所定の角度θｔを設定する。これにより、本実施の形態によれば、特徴的な照射パターンに基づき、合わせガラス１０の方向を容易且つ正確に判別することが可能となっている。
【０１１０】
さらに、この場合、条件６で説明したように、所定の角度θｔが、合わせガラス１０の上下及び表裏が「規定方向」に配置された状態において、上方に傾斜した方向から表面１０Ａに光を入射させた際に、この光が上側面２２Ｕのうちの表面１０Ａ側に最も近い平面部分（第１面部２３Ａ）のみに入射するように、設定されていることが好ましい。この場合には、照射パターンが顕著に特徴的となるため、この照射パターンに基づき、合わせガラス１０の方向を一層容易且つ正確に判別することが可能となる。
【０１１１】
なお、以上に説明した第１の実施の形態では、開口部２に採光部材としての合わせガラス１０を設置することにより、開口構造１を製造する例を説明したが、採光部材としての採光シート２０の方向を判別してから、窓ガラス等に貼り付けて、開口構造が製造されてもよい。また、開口部２に設置される採光部材は、複層ガラス（ペアガラス）などでもよい。複層ガラスは、例えば、採光シート２０が積層されたシート積層パネルと、このパネルの両外側に配置される外側パネルおよび内側パネルと、を有し、シート積層パネルと、外側パネルおよび内側パネルのうちの少なくとも一方との間に、空間（空気層）が設けられる部材である。この場合、開口構造は、複層ガラスの方向を判別してから開口部に設置することにより、製造される。
また、採光部材は、スラット部が採光機能を有する採光ブラインドや、ロールスクリーン状に形成された採光ロールスクリーン等でもよい。この場合、窓ガラス等の出射面側に、採光ブラインドや、採光ロールスクリーンを設置して、開口構造が製造される。採光ブラインドでは、例えば、各スラット部が上述した採光シート２０と同様の構造となっている。この場合、このような採光ブラインドの方向を判別してから、窓ガラス等の出射面側に採光ブラインドを設置することにより、開口構造が製造される。また、採光ロールスクリーンは、例えば、軸部材と、軸部材に、その一端が取り付けられた上述と同様の採光シート２０と、を備えて構成されるものである。この場合、このよう採光ロールスクリーンの方向を判別してから、窓ガラス等の出射面側に採光ロールスクリーンを設置することにより、開口構造が製造される。
【０１１２】
また、方向判別工程の対象となる採光部材は、光拡散機能を有していてもよい。例えば、上述の合わせガラス１０において、第１接着層３１と第２接着層３２が光拡散機能を有していてもよいし、型板ガラスや擦りガラスに代表されるようにパネルが光拡散機能を有していてもよい。また、採光シート２０が光拡散層を有していてよい。この場合、採光部材の出射面から出射される光が拡散されるが、方向判別工程において、出射面と、出射光を照射する受光面（壁面Ｗｓ）との間の距離を調整すれば、照射パターンから採光部材の方向を容易に判別することができる。また、方向判別時に周囲の照明を暗くすることでも容易に判別することができる。
【０１１３】
＜第２の実施の形態＞
次に、本発明の第２の実施の形態について説明する。本実施の形態においては、採光部材としての採光シートの製造方法を説明する。なお、本実施の形態における、第１の実施の形態と同様の構成部分については、同一の符号を付して、一部説明を省略する。
【０１１４】
図８は、本実施の形態による採光シート２０の製造方法を説明する図である。概略として、本実施の形態による採光シート２０の製造方法は、第１の実施の形態で説明した採光シート２０を準備する準備工程と、採光シート２０の上下及び表裏を判別する方向判別工程と、方向判別工程の判別結果に基づいて、採光シート２０に加工を行う加工工程と、を備えている。
【０１１５】
図８（Ａ）は、本実施の形態における方向判別工程を説明する図である。同図に示すように、本実施の形態では、採光シート２０を鉛直方向に沿う状態に保持して、第１の実施の形態と同様に、上方に所定の角度θｔで傾斜した方向から試験光Ｌｔを合わせガラス１０に入射させ、その出射光を壁面Ｗｓに照射させる。この例においても、試験光Ｌｔを出射する装置として、点光源装置１００が用いられている。
【０１１６】
方向判別工程の内容は、合わせガラス１０が採光シート２０に代えられた以外の点は、同様のため、詳細な説明は省略する。
【０１１７】
一方、図８（Ｂ）は、本実施の形態における加工工程を説明する図である。本実施の形態による加工工程では、方向判別工程の判別結果に基づいて、採光シート２０に方向を示す指標を設ける。図中の符号４１は、天側（上部）側を示す指標を示しており、符号４２は、表面側を示す指標を示している。方向判別工程において採光シート２０の方向を判別して、このような指標４１，４２が設けられることで、その後、採光シート２０は正しい方向に設置され得る。
【０１１８】
なお、第２の実施の形態の変形例として、採光シート２０に方向を示す指標が予め設けられている場合には、前記加工工程では、方向判別工程の判別結果に基づいて、指標の正誤を確認し、指標が示す方向と実際の採光シート２０の方向（判別した方向）とが相違する場合には指標を修正するようにしてもよい。
また、ここでは、採光部材としての採光シートの製造方法を説明したが、採光部材は、第１の実施の形態で説明したような合わせガラス、複層ガラス、採光ブラインド、採光ロールスクリーン等でもよい。合わせガラスの製造の場合は、採光シートの方向を判別してから、例えば、加工工程において、採光シートを所望の向きとしてガラスの間に配置することにより、合わせガラスが製造される（複層ガラスも同様である）。採光ブラインドの製造の場合は、スラット部の方向を判別してから、例えば、加工工程において、複数のスラット部を所望の向きに整列して連結することにより、採光ブラインドが製造される。採光ロールスクリーンの製造の場合は、採光シートの方向を判別してから、例えば、加工工程において、採光シートを所望の向きで軸部材に連結することにより、採光ロールスクリーンが製造される。また、採光シートの製造の場合は、採光シートの方向を判別してから、例えば、加工工程において、採光シートを所望の向きとして粘着層や光拡散層、ハードコート層等の機能層をコーティングやラミネート等の方法を用いて採光シートに積層してもよい。
【０１１９】
（方向判別工程の対象となる採光部材の変形例）
第１の実施の形態及び第２の実施の形態において方向判別工程で判別が行われた採光部材とは異なる構成の採光部材に対して方向判別工程を行う例を、図９乃至図１１を参照しつつ説明する。なお、この変形例の説明においても、第１の実施の形態及び第２の実施の形態で説明した構成部分と同様の構成部分については、同一の符号を付して、説明する。
【０１２０】
図９に示す採光シート２０’では、光偏向要素２２の上側面２２Ｕが、入射側から出射側に向け並ぶ、第１面部２３Ａと、第２面部２３Ｂと、第３面部２３Ｃとの３つの平面部分を有している。第１面部２３Ａが法線方向Ｈに対してなす角度は、第２面部２３Ｂが法線方向Ｈに対してなす角度よりも大きく、第２面部２３Ｂが法線方向Ｈに対してなす角度は、第３面部２３Ｃが法線方向Ｈに対してなす角度よりも大きくなっている。一方で、光偏向要素２２の下側面２２Ｄは、断面視で直線状に延びるように形成されている。
【０１２１】
このような採光シート２０’においても、上下及び表裏が「規定方向」に配置された状態において、光偏向要素２２が、上方に設計角度範囲内の角度で傾斜した方向（例えば、図中、角度θ９で傾斜した方向）から表面に入射する光を全反射させるように、第１面部２３Ａの角度、第２面部２３Ｂ及び第３面部２３Ｃの角度等が設計されている。
【０１２２】
一方で、この採光シート２０’においても、上下及び表裏が「規定方向」に配置されていない状態、例えば上下の方向が「規定方向」とは反対等の状態においては、上方に設計角度範囲内の角度で傾斜した方向から光が入射された場合でも、所望の採光性能が得られない、言い換えると、所望の採光性能とは異なる採光性能が得られる。すなわち、上下及び表裏が「規定方向」に配置された状態においては、上方に設計角度範囲内の角度で傾斜した方向から光が入射された場合に、この光が光偏向要素２２によって全反射されて裏面から上方に出射される出射態様が得られる。一方で、上下及び表裏が「規定方向」に配置されていない状態においては、同一の条件で光を入射された場合であっても、異なる出射態様が得られる。
【０１２３】
したがって、このような採光シート２０’においても、第１の実施の形態及び第２の実施の形態と同様の方向判別工程を行うことができる。すなわち、図９に示すように、設計角度範囲内の所定の角度（例えば、図中、角度θ９で傾斜した方向）で傾斜した方向から試験光Ｌｔを入射させ、採光シート２０’から出射された出射光に基づいて、採光シート２０’の上下及び表裏のうちの少なくとも一方を判別することができる。
【０１２４】
この例にかかる上述の所定の角度も、採光シート２０の表裏が「規定方向」とは反対に配置された状態において、上方に傾斜した方向から裏面に光を入射させた際に、この光が光偏向要素２２によって全反射しない角度に、設定されていることが好ましい（第１の実施の形態で説明した条件３及び条件４と同様の条件）。すなわち、図９における、矢印Ｘ又は矢印Ｙの方向から光を入射させた際に、この光が光偏向要素２２によって全反射しない角度に、設定されていることが好ましい。
【０１２５】
また、この例にかかる上述の所定の角度も、採光シート２０’の上下が「規定方向」とは反対に配置された状態において、上方に傾斜した方向から表面に光を入射させた際に、この光が光偏向要素２２によって全反射しない角度に、設定されていることが好ましい（第１の実施の形態で説明した条件５と同様の条件）。すなわち、図９における、矢印Ｚの方向から光を入射させた際に、この光が光偏向要素２２によって全反射しない角度に、設定されていることが好ましい。
【０１２６】
次に、図１０に示す採光シート２０’’では、光偏向要素２２の上側面２２Ｕが、断面視で直線状に延びるように形成されている。上側面２２Ｕは、裏面側に向けて下方に傾斜するように形成されている。一方で、光偏向要素２２の下側面２２Ｄは、断面視で直線状に延びるように形成されている。
【０１２７】
このような採光シート２０’’においても、上下及び表裏が「規定方向」に配置された状態において、光偏向要素２２が、上方に設計角度範囲内の角度で傾斜した方向（例えば、図中、角度θ１０で傾斜した方向）から表面に入射する光を全反射させるように、上側面２２Ｕの角度等が設計されている。
【０１２８】
一方で、この採光シート２０’’においても、上下及び表裏が「規定方向」に配置されていない状態、例えば上下の方向が「規定方向」とは反対等の状態においては、上方に設計角度範囲内の角度で傾斜した方向から光が入射された場合でも、所望の採光性能が得られない、言い換えると、所望の採光性能とは異なる採光性能が得られる。すなわち、上下及び表裏が「規定方向」に配置された状態においては、上方に設計角度範囲内の角度で傾斜した方向から光が入射された場合に、この光が光偏向要素２２によって全反射されて裏面から上方に出射される出射態様が得られる。一方で、上下及び表裏が「規定方向」に配置されていない状態においては、同一の条件で光を入射された場合であっても、異なる出射態様が得られる。
【０１２９】
したがって、このような採光シート２０’’においても、第１の実施の形態及び第２の実施の形態と同様の方向判別工程を行うことができる。すなわち、図１０に示すように、設計角度範囲内の所定の角度（例えば、図中、角度θ１０で傾斜した方向）で傾斜した方向から試験光Ｌｔを入射させ、採光シート２０’’から出射された出射光に基づいて、採光シート２０’’の上下及び表裏のうちの少なくとも一方を判別することができる。
【０１３０】
この例にかかる上述の所定の角度も、採光シート２０の表裏が「規定方向」とは反対に配置された状態において、上方に傾斜した方向から裏面に光を入射させた際に、この光が光偏向要素２２によって全反射しない角度に、設定されていることが好ましい（第１の実施の形態で説明した条件３及び条件４と同様の条件）。すなわち、図１０における、矢印Ｘ又は矢印Ｙの方向から光を入射させた際に、この光が光偏向要素２２によって全反射しない角度に、設定されていることが好ましい。
【０１３１】
また、この例にかかる上述の所定の角度も、採光シート２０’’の上下が「規定方向」とは反対に配置された状態において、上方に傾斜した方向から表面に光を入射させた際に、この光が光偏向要素２２によって全反射しない角度に、設定されていることが好ましい（第１の実施の形態で説明した条件５と同様の条件）。すなわち、図１０における、矢印Ｚの方向から光を入射させた際に、この光が光偏向要素２２によって全反射しない角度に、設定されていることが好ましい。
【０１３２】
次に、図１１示す採光シート２０’’’では、光偏向要素２２の上側面２２Ｕが、断面視で下方に凸の曲線状に形成されている。一方で、光偏向要素２２の下側面２２Ｄは、断面視で直線状に延びるように形成されている。
【０１３３】
このような採光シート２０’’’においても、上下及び表裏が「規定方向」に配置された状態において、光偏向要素２２が、上方に設計角度範囲内の角度で傾斜した方向（例えば、図中、角度θ１１で傾斜した方向）から表面に入射する光を全反射させるように、上側面２２Ｕの形状等が設計されている。
【０１３４】
一方で、この採光シート２０’’’においても、上下及び表裏が「規定方向」に配置されていない状態、例えば上下の方向が「規定方向」とは反対等の状態においては、上方に設計角度範囲内の角度で傾斜した方向から光が入射された場合でも、所望の採光性能が得られない、言い換えると、所望の採光性能とは異なる採光性能が得られる。すなわち、上下及び表裏が「規定方向」に配置された状態においては、上方に設計角度範囲内の角度で傾斜した方向から光が入射された場合に、この光が光偏向要素２２によって全反射されて裏面から上方に出射される出射態様が得られる。一方で、上下及び表裏が「規定方向」に配置されていない状態においては、同一の条件で光を入射された場合であっても、異なる出射態様が得られる。
【０１３５】
したがって、このような採光シート２０’’’においても、第１の実施の形態及び第２の実施の形態と同様の方向判別工程を行うことができる。すなわち、図１１に示すように、設計角度範囲内の所定の角度（例えば、図中、角度θ１１で傾斜した方向）で傾斜した方向から試験光Ｌｔを入射させ、採光シート２０’’’から出射された出射光に基づいて、採光シート２０’’’の上下及び表裏のうちの少なくとも一方を判別することができる。
【０１３６】
この例にかかる上述の所定の角度も、採光シート２０’’’の表裏が「規定方向」とは反対に配置された状態において、上方に傾斜した方向から裏面に光を入射させた際に、この光が光偏向要素２２によって全反射しない角度に、設定されていることが好ましい（第１の実施の形態で説明した条件３及び条件４と同様の条件）。すなわち、図１１における、矢印Ｘ又は矢印Ｙの方向から光を入射させた際に、この光が光偏向要素２２によって全反射しない角度に、設定されていることが好ましい。
【０１３７】
また、この例にかかる上述の所定の角度も、採光シート２０’’’の上下が「規定方向」とは反対に配置された状態において、上方に傾斜した方向から表面に光を入射させた際に、この光が光偏向要素２２によって全反射しない角度に、設定されていることが好ましい（第１の実施の形態で説明した条件５と同様の条件）。すなわち、図１１における、矢印Ｚの方向から光を入射させた際に、この光が光偏向要素２２によって全反射しない角度に、設定されていることが好ましい。
【０１３８】
＜実施例＞
次に、具体的な角度や寸法が設定された第１の実施の形態で説明した採光シート２０を準備し、この採光シート２０に対して、方向判別工程を行った実施例について説明する。図５を参照し、この実施例で用いる方向判別工程の対象となる採光シート２０は、以下の表１に示す寸法、角度及び屈折率が設定されている。
【０１３９】
【表１】
0006515544.tif 000002
【０１４０】
この実施例における所定の角度θｔは、上記の角度α及び角度β等から定まる設計角度範囲Ｒａ内の角度に設定され得る。しかし、本実施例では、上述の第１の実施の形態で説明した条件１〜６を充足する所定の角度θｔを以下のように算出した。
【０１４１】
条件１を充足させる式（２）は、以下である。
ａｒｃｓｉｎ（（ＮＢ／Ｎ０）ｓｉｎα）＜θｔ＜ａｒｃｓｉｎ（（ＮＡ／Ｎ０）ｓｉｎ（α＋９０°−ａｒｃｓｉｎ（ＮＢ／ＮＡ））・・・（２）
【０１４２】
この式に基づき、所定の角度θｔは、条件１として、２２．５°＜θｔ＜７０．８°、を充足する。
【０１４３】
条件２を充足させる式（４）は、以下である。
ａｒｃｓｉｎ（（ＮＢ／Ｎ０）ｓｉｎ（β＋９０°−ａｒｃｓｉｎ（ＮＢ／ＮＡ））＜θｔ・・・（４）
【０１４４】
この式に基づき、所定の角度θｔは、条件２として、３２．８°＜θｔ、を充足する。
【０１４５】
条件３を充足させる式（５）は、以下である。
ａｒｃｓｉｎ（（ＮＢ／Ｎ０）ｓｉｎ（−β＋９０°−ａｒｃｓｉｎ（ＮＢ／ＮＡ））＜θｔ・・・（５）
【０１４６】
この式に基づき、所定の角度θｔは、条件３として、３２．８°＜θｔ、を充足する。
【０１４７】
条件４を充足させる式（６）は、以下である。
ａｒｃｓｉｎ（（ＮＢ／Ｎ０）ｓｉｎ（γ＋９０°−ａｒｃｓｉｎ（ＮＢ／ＮＡ））＜θｔ・・・（６）
【０１４８】
この式に基づき、所定の角度θｔは、条件４として、４６．７°＜θｔ、を充足する。
【０１４９】
条件５を充足させる式（７）は、以下である。
ａｒｃｓｉｎ（（ＮＢ／Ｎ０）ｓｉｎ（−γ＋９０°−ａｒｃｓｉｎ（ＮＢ／ＮＡ））＜θｔ・・・（７）
【０１５０】
この式に基づき、所定の角度θｔは、条件５として、２０．１°＜θｔ、を充足する。
【０１５１】
以上から、条件１〜５を充足する所定の角度θｔは、４６．７°＜θｔ＜７０．８°の範囲となる。
【０１５２】
また、条件１〜５に加えて、上述の第１の実施の形態で説明した条件６を充足する所定の角度θｔは、以下のように算出される。
【０１５３】
すなわち、条件６を充足させる式（８）は、以下である。
ａｒｃｓｉｎ（（ＮＡ／Ｎ０）ｓｉｎ（ａｒｃｔａｎ（ｔａｎα＋（ｈ／Ａ））））＜θｔ＜ａｒｃｓｉｎ（（ＮＡ／Ｎ０）ｓｉｎ（α＋９０°−ａｒｃｓｉｎ（ＮＢ／ＮＡ））・・・（８）
【０１５４】
この式に基づき、条件６を充足する所定の角度θｔは、５１．７°＜θｔ＜７０．８°、となる。
【０１５５】
図１２は、この実施例において、所定の角度θｔを、４０°、５０°、６０°、及び７０°に設定し、採光シート２０に試験光Ｌｔを入射させた際の、採光シート２０から出射された出射光の出射強度分布を示している。
【０１５６】
図１２（Ａ）は、所定の角度θｔが４０°の場合、（Ｂ）は、所定の角度θｔが５０°の場合、（Ｃ）は、所定の角度θｔが６０°の場合、（Ｄ）は、所定の角度θｔが７０°の場合を示している。
【０１５７】
また、図１２（Ａ）〜（Ｄ）において、実線は、表面が試験光の入射側を向き採光シート２０の上下及び表裏が「規定方向」である場合の出射強度分布を示している。一点鎖線は、採光シート２０の表裏が「規定方向」とは反対に配置され、且つ、上下の方向は正しく配置された状態（表裏反転）である場合の出射強度分布を示している。二点鎖線は、採光シート２０の上下及び表裏が「規定方向」とは反対に配置された状態（天地表裏反転）である場合の出射強度分布を示している。破線は、合わせガラス１０の上下が「規定方向」とは反対に配置され、表裏の方向は正しく配置された状態（天地反転）である場合の出射強度分布を示している。
【０１５８】
さらに、これらの出射強度分布では、描かれた曲線が外周側に延びるほど、光の強度が大きいことを意味する。また、描かれた曲線が、法線方向Ｈに対して上側に延びるほど、光が上方に跳ね上げられていることを示し、描かれた曲線が、法線方向Ｈに対して下側に延びるほど、下方に出射されていることを示している。
【０１５９】
図１２（Ａ）に示すように、所定の角度θｔが４０°の場合、「規定方向」とそれ以外の場合との出射強度に明確に差が生じていないため、「規定方向」である場合の出射光の出射態様（照射パターン）から目視によって、判別対象とされている採光シート２０が「規定方向」であることを判別し難い。しかしながら、このような場合であっても、「規定方向」である場合の出射光の出射態様では、上方に跳ね上がる光が多く観察されるため、このような特徴に基づいて、採光シート２０の方向を判別し得る。
【０１６０】
一方で、所定の角度θｔが、条件１〜５を充足する５０°、６０°、７０°の場合、図１２（Ｂ）〜（Ｄ）に示すように、「規定方向」とそれ以外の場合との出射強度に明確に差が生じているため、「規定方向」である場合の出射光の出射態様（照射パターン）から目視によって、判別対象とされている採光シート２０が「規定方向」であることを容易に判別することができる。したがって、この結果から、条件１〜条件５を充足するように所定の角度θｔを設定すれば、採光シート２０が「規定方向」であることを容易に判別することができる結果、採光シート２０の方向を容易に判別することができることが、確認された。
【０１６１】
また、条件６を充足する図１２（Ｃ）(Ｄ)は、「規定方向」である場合の出射光の強度が、他の角度（５０°）よりも大きくなっている。この場合、上方に跳ね上がる光が明確に照射される。このような特徴に基づいて、採光シート２０の方向を容易に判別することができる。したがって、この結果から、条件６を充足するように所定の角度θｔを設定すれば、採光シート２０が「規定方向」であることを容易且つ正確に判別することができる結果、採光シート２０の方向を容易に判別することができることが確認された。
【符号の説明】
【０１６２】
１  採光機能付き開口構造
２  開口部
１０  合わせガラス
１０Ａ  表面
１０Ｂ  裏面
１０Ｕ  上部
１０Ｄ  下部
１２  外側パネル
１３  内側パネル
１４  枠部材
２０，２０’，２０’’，２０’’’  採光シート
２１  基部
２１Ａ  溝
２２  光偏向要素
２２Ｕ  上側面
２２Ｄ  下側面
２３Ａ  第１面部
２３Ｂ  第２面部
２３Ｃ  第３面部
３１  第１接着層
３２  第２接着層
θｔ  所定の角度
Ｗ  壁
Ｌｔ  試験光
Ｒａ  設計角度範囲
Ｗｓ  壁面
【図１】
0006515544.tif 000003
【図２】
0006515544.tif 000004
【図３】
0006515544.tif 000005
【図４】
0006515544.tif 000006
【図５】
0006515544.tif 000007
【図６】
0006515544.tif 000008
【図７】
0006515544.tif 000009
【図８】
0006515544.tif 000010
【図９】
0006515544.tif 000011
【図１０】
0006515544.tif 000012
【図１１】
0006515544.tif 000013
【図１２】
0006515544.tif 000014